(57)【特許請求の範囲】
【請求項１】
原稿が載置される原稿載置台と、
前記原稿載置台の上方に配され、前記原稿載置台に載置された原稿を覆う位置と前記原
稿載置台を開放する位置との間を変位可能に設けられた原稿カバーと、
前記原稿カバーの上方において原稿を載置するための原稿トレイを有し、原稿トレイに
載置された原稿を搬送して前記原稿カバーの上面に排出する原稿自動搬送装置と、
前記原稿載置台に載置された原稿表面における画像あるいは前記原稿自動搬送装置によ
り搬送されている原稿表面における画像を読み取る読取手段と、
前記原稿カバーに配され、所定の情報を表示する表示部あるいはユーザにより操作可能
な操作部が設けられた設置面を有するパネルとを備え、
前記パネルは、前記原稿カバーの上面から突出するとともに前記原稿自動搬送装置によ
り排出される原稿の端部に対向してその位置を規制する規制面を前記設置面とは異なる面
に有することを特徴とする画像読取装置。
【請求項２】
前記パネルは、前記規制面が前記原稿自動搬送装置から排出される原稿の先端に対向す
るように配置されたことを特徴とする請求項１に記載の画像読取装置。
【請求項３】
前記パネルは、前記原稿カバーの上面から突出して前記原稿自動搬送装置から排出され
る原稿の端部を前記規制面により規制可能な規制位置と前記原稿カバーの内側に収容され
た収容位置とに変位可能に設けられたことを特徴とする請求項１あるいは請求項２に記載
の画像読取装置。
【請求項４】
前記パネルは、前記原稿自動搬送装置により排出される原稿の端部に対向する位置にお
いて切欠部が設けられたことを特徴とする請求項１乃至請求項３の何れかに記載の画像読
取装置。
【請求項５】
前記原稿トレイは、前記原稿カバーの鉛直上方への投影と重なる位置に配置されたこと
を特徴とする請求項３あるいは請求項４に記載の画像読取装置。
【請求項６】
画像読取装置として請求項１乃至請求項５の何れかに記載の画像読取装置と、
記録媒体に画像を形成する画像形成部を有する画像形成装置とを一体的に備えたことを
特徴とする複合機。
【請求項７】
前記画像形成装置は、画像が形成された記録媒体を前記原稿搬送装置による原稿排出方
向と同一方向に排出する排出手段を備えたことを特徴とする請求項６に記載の複合機。
【発明の詳細な説明】
【技術分野】
【０００１】
本発明は、画像読取装置および画像読取装置を備えた複合機に関し、特に、パネルの視
認性および操作性の低下を抑制する技術に関する。
【背景技術】
【０００２】
従来より、画像読取装置あるいはそれを備えた複合機において、いわゆるフラットベッ
ドを備えたものがある。フラットベッドには原稿載置台に載置された原稿を覆う原稿カバ
ーが設けられていることが一般的である。また、このような原稿カバーの上面にはユーザ
がフラットベッドの操作などを行うために、所定の情報を表示する表示部あるいはユーザ
が操作するための操作部を有するパネルが設けられる場合がある。（例えば特許文献１参
照）
このような構成によると、パネルを原稿載置台の側面から突出するように設ける必要が
ないので、画像読取装置あるいはそれを備えた複合機を設置するのに必要なスペースを小
さくすることが可能となる。
【０００３】
【特許文献１】特開平６−２６６１７６号公報
【発明の開示】
【発明が解決しようとする課題】
【０００４】
ところで、このような画像読取装置において、複数枚の原稿を読み取るために原稿自動
搬送装置（以下「ＡＤＦ」という）が設けられることがある。
【０００５】
ＡＤＦは通常、原稿カバーの上方において原稿を積載可能な原稿原稿トレイを有してお
り、原稿トレイから搬送された原稿は原稿カバーの上面に排出されるように配置されてい
る。
【０００６】
しかしながら、このようにＡＤＦが配置され、さらに上述のようにパネルが原稿カバー
の上面に設けられると、ＡＤＦによって原稿カバーの上面に排出された原稿がパネルに被
さりパネルの視認性および操作性が低下してユーザに不便を強いる可能性がある。
【０００７】
そこで本発明は上述した問題点を解決するためになされたものであり、ＡＤＦを備え、
さらにパネルが原稿カバーの上面に設けられた場合において、ユーザに不便を強いる可能
性を抑制することができる画像読取装置あるいはそれを備えた複合機を提供することにあ
る。
【課題を解決するための手段】
【０００８】
この目的を達成するために、請求項１に記載の画像読取装置は、原稿が載置される原稿
載置台と、原稿載置台の上方に配され、原稿載置台に載置された原稿を覆う位置と原稿載
置台を開放する位置との間を変位可能に設けられた原稿カバーと、原稿カバーの上方にお
いて原稿を載置するための原稿トレイを有し、原稿トレイに載置された原稿を搬送して原
稿カバーの上面に排出する原稿自動搬送装置と、原稿載置台に載置された原稿表面におけ
る画像あるいは原稿自動搬送装置により搬送されている原稿表面における画像を読み取る
読取手段と、原稿カバーに配され、所定の情報を表示する表示部あるいはユーザにより操
作可能な操作部が設けられた設置面を有するパネルとを備え、パネルは、原稿カバーの上
面から突出するとともに原稿自動搬送装置により排出される原稿の端部に対向してその位
置を規制する規制面を設置面とは異なる面に有することを特徴とする。
【０００９】
このような構成によると、パネルが原稿自動搬送装置により排出される原稿の端部を規
制する規制面を有しているので、排出された原稿がパネルの操作部あるいは表示部に被さ
ることを防止できる。このようにして、パネルの操作性あるいは視認性が低下する可能性
を抑制することができる。
【００１０】
請求項２に記載の画像読取装置は、請求項１において、パネルは、規制面が原稿自動搬
送装置から排出される原稿の先端に対向するように配置されたことを特徴とする。
【００１１】
このような構成によると、原稿の排出方向の先端部は他の端部に比べてパネルの操作部
あるいは表示部に被さる可能性が高いので、この先端を規制することでより確実にパネル
の操作性あるいは視認性が低下する可能性を抑制することができる。
【００１２】
請求項３に記載の画像読取装置は、請求項１あるいは請求項２において、パネルは、原
稿カバーの上面から突出して原稿自動搬送装置から排出される原稿の端部を規制面により
規制可能な規制位置と原稿カバーの内側に収容された収容位置とに変位可能に設けられた
ことを特徴とする。
【００１３】
このような構成によると、パネルは、原稿カバーの内側に収容された収容位置に変位す
ることで、規制面に規制されていた原稿の端部が露出されるので、ユーザは原稿を容易に
回収することができる。
【００１４】
請求項４に記載の画像読取装置は、請求項１乃至請求項３の何れかにおいて、パネルは
、原稿自動搬送装置により排出される原稿の端部に対向する位置において切欠部が設けら
れたことを特徴とする。
【００１５】
このような構成によると、パネルは、排出される原稿の端部に対向する位置において切
欠部が設けられたので、切欠部から原稿の端部が露出される。このようにして、ユーザは
排出された原稿を容易に回収することができる。
【００１６】
請求項５に記載の画像読取装置は、請求項３あるいは請求項４において、原稿トレイは
、原稿カバーの鉛直上方への投影と重なる位置に配置されたことを特徴とする。
【００１７】
このような構成によると、原稿トレイが、原稿カバーの鉛直上方への投影と重なる位置
に配置されているので、画像読取装置をコンパクト化できる上、パネルは原稿の取り出し
を容易である。
【００１８】
請求項６に記載の複合機は、画像読取装置として請求項１乃至請求項５の何れかに記載
の画像読取装置と、記録媒体に画像を形成する画像形成部を有する画像形成装置とを一体
的に備えたことを特徴とする。
【００１９】
このような構成によると、本発明にかかる画像読取装置を複合機に適用したので、この
複合機においてパネルの操作性あるいは視認性が低下する可能性を抑制することが可能と
なる。
【００２０】
請求項７に記載の複合機は、請求項６において、画像形成装置は、画像が形成された記
録媒体を原稿搬送装置による原稿排出方向と同一方向に排出する排出手段を備えたことを
特徴とする。
【００２１】
このような構成によると、原稿自動搬送装置と排出手段の駆動系を上下方向において同
一の投影内に配することができるので、複合機の小型化が可能となる。
【発明を実施するための最良の形態】
【００２２】
以下、本発明に係る実施の形態について図面を参照しながら説明する。
【００２３】
［実施例１］
＜複合機１０００の全体構成＞
図１は、実施例１における複合機１０００の斜視図である。図２は、実施例１における
複合機１０００の中央断面図である。
【００２４】
複合機１０００は、図１および図２に示すように、画像形成装置としてのプリンタ１と
、画像読取装置としてのスキャナ８とを備えている。
【００２５】
プリンタ１は、複合機１０００における下側に配置され、記録媒体としての記録紙Ｐの
表面に所定の画像を形成する。
【００２６】
スキャナ８は、プリンタ１よりも上方に配置され、原稿Ｇの表面における画像を読み取
る。
【００２７】
例えば、スキャナ８により読み取られた画像のデータはプリンタ１に送られ、プリンタ
１はそのデータに基づいて記録紙Ｐの表面に画像を形成することが可能である。
【００２８】
＜プリンタ１の全体構成＞
プリンタ１は、図２に示すように、筐体２と、給紙ユニット１０と、画像形成部として
の画像形成ユニット３００と、排出手段としての排紙ユニット７０と、メイン制御基板８
９と駆動ユニット６（図３参照）とを備えている。
【００２９】
筐体２は、プリンタ１の内部を覆う。
【００３０】
給紙ユニット１０は、プリンタ１における下側に配され、画像形成ユニット３００へ記
録紙Ｐを搬送する。
【００３１】
画像形成ユニット３００は、給紙ユニット１０よりも記録紙Ｐの搬送方向下流側に配さ
れ、給紙ユニット１０により搬送された記録紙Ｐに画像を形成する。
【００３２】
排紙ユニット７０は、画像形成ユニット３００よりも記録紙Ｐの搬送方向下流側に配さ
れ、画像形成ユニット３００により画像が形成された記録紙Ｐをプリンタ１の外部へ排出
する。
【００３３】
メイン制御基板８９は、外部のコンピュータやスキャナ８から所定の信号や画像データ
を受け取って、複合機１０００全体を制御する。
【００３４】
図３は、複合機１０００を上方から見た平面図である。
【００３５】
駆動ユニット６は、図示しないモータやギヤを備えており、図３に示すように、メイン
制御基板８９により制御されて、画像形成ユニット３００と、給紙ユニット１０と、排紙
ユニット７０とを駆動する。
【００３６】
筐体２には、図中矢印Ａ方向（以後「Ａ方向」とする。）側において開口部２ａが形成
されるとともに、それを覆うカバー３が取り付けられている。カバー３はその下端部に回
動軸４を有しており、回動軸４は筐体２において回動可能に支持されている。このような
構成により、カバー３はその上端部をＡ方向に移動させることにより、開口部２ａを開放
することが可能である。
【００３７】
給紙ユニット１０は、給紙カセット１１と、分離ローラ１５と、搬送ローラ１９と、ガ
イド２１と、ガイド２３と、ガイド２５と、レジストローラ２７とを備えている。
【００３８】
給紙カセット１１は、記録紙Ｐが積層された状態でプリンタ１からＡ方向に引き出し可
能に設けられ、上方が開放された箱型形状である。また、給紙カセット１１は、分離ロー
ラ１５に対向配置されるとともにバネ１７ａにより分離ローラ１５に向けて付勢されてい
る分離パッド１７を備えている。
【００３９】
分離ローラ１５は、給紙カセット１１の一端側の上方に設けられており、分離パッド１
７との間で記録紙Ｐを一枚づつ分離しながらガイド２１およびガイド２５へ向けて送り出
す。
【００４０】
ガイド２１およびガイド２５は、分離ローラ１５の上方に配され、分離ローラ１５から
送り出されてきた記録紙Ｐを搬送ローラ１９へ案内する。
【００４１】
搬送ローラ１９は、１対のローラにより構成されており、ガイド２１およびガイド２５
により案内されてきた記録紙Ｐをレジストローラ２７へ向けて搬送する。
【００４２】
ガイド２３は、搬送ローラ１９よりも上方に配され、ガイド２５とともに搬送ローラ１
９から搬送されてくる記録紙Ｐをレジストローラ２７へ案内する。
【００４３】
レジストローラ２７は、ガイド２３およびガイド２５よりも記録紙Ｐの搬送方向下流側
に配され、ガイド２３およびガイド２５により案内されてきた記録紙Ｐの先端をレジスト
コロ４３との間で狭持するとともに一旦停止させた後、所定のタイミングにおいて転写位
置に向けて送り出す。
【００４４】
画像形成ユニット３００は、給紙ユニット１０により搬送されてきた記録紙Ｐに画像を
転写するプロセスカートリッジ３０と、露光ユニット５０と、プロセスカートリッジ３０
により転写された画像を記録紙Ｐに定着させる定着ユニット６０とを備えている。
【００４５】
露光ユニット５０は、図示しないレーザダイオードやポリゴンミラーなどを備え、メイ
ン制御基板８９から所定の画像データが送信される。露光ユニット５０は、この画像デー
タに基づいてレーザ光を感光体ドラム３３へ向けて照射することにより、感光体ドラム３
３の表面を露光する。
【００４６】
プロセスカートリッジ３０は、給紙ユニット１０の上方に配され、カバー３が図中時計
周りに回動されて開口部２ａが開放されたときにＡ方向に引き出すことができるように設
けられている。
【００４７】
プロセスカートリッジ３０は、現像剤収容室３１と、供給ローラ３９と、現像ローラ３
７と、感光体ドラム３３と、転写ローラ３５と、帯電器４１と、レジストコロ４３とを備
えている。
【００４８】
現像剤収容室３１には現像剤としてトナーが収容されている。現像剤収容室３１に収容
されたトナーは図示しない攪拌部材により攪拌されながら供給ローラ３９に送られる。
【００４９】
供給ローラ３９は、現像剤収容室３１に隣接して設けられ、現像剤収容室３１から送ら
れてくるトナーをさらに現像ローラ３７へ供給する。
【００５０】
現像ローラ３７は、供給ローラ３９に密着するように配置されるとともに、図示しない
バイアス印加手段により現像バイアスが印加される。現像ローラ３７は、供給ローラ３９
より供給されたトナーを担持するとともに正に帯電させる。
【００５１】
帯電器４１はスコロトロン型の帯電器であり、感光体ドラム３３に対向配置され、感光
体ドラム３３の表面を正に帯電させる。
【００５２】
感光体ドラム３３は、現像ローラ３７に隣接して設けられている。感光体ドラム３３の
表面は、帯電器４１により一様に正帯電される。その後、感光体ドラム３３の表面は、露
光ユニット５０により露光されることにより他の部分より電位が低い静電潜像が形成され
る。そして、静電潜像が形成された感光体ドラム３３の表面に正に帯電されたトナーが現
像ローラ３７から供給されることにより、静電潜像が顕像化されて現像剤像となる。
【００５３】
転写ローラ３５は、感光体ドラム３３に対向配置され、図示しないバイアス印加手段に
より転写バイアスが印加される。転写ローラ３５は、その表面に転写バイアスが印加され
ている状態において、現像剤像が形成された感光体ドラム３３との間（転写位置）で記録
紙Ｐを狭持しながら搬送することにより、記録紙Ｐの表面に現像剤像を転写する。
【００５４】
レジストコロ４３は、レジストローラ２７に対向配置され、レジストローラ２７の回転
に伴って従動回転する。
【００５５】
定着ユニット６０は、加熱ローラ６１と押圧ローラ６３とを備えている。
【００５６】
加熱ローラ６１は、金属製で筒形状をなし、ハロゲンランプからなるヒータを内装して
おり、そのヒータに図示しない電源より電力が供給されることで加熱される。
【００５７】
押圧ローラ６３は、この加熱ローラ６１に密着して従動回転する。
【００５８】
押圧ローラ６３は、転写位置において現像剤像が転写された後に送られてきた記録紙Ｐ
を加熱ローラ６１との間で狭持しながら搬送することで、記録紙Ｐに現像剤像を熱定着さ
せる。
【００５９】
排紙ユニット７０は、ガイド７１と、ガイド７２と、ガイド７３と、排紙ローラ７５と
、排紙トレイ７７とを備えている。
【００６０】
ガイド７１は、定着ユニット６０よりも図中矢印Ｂ方向側（以下「Ｂ方向」とする。Ｂ
方向はＡ方向と反対方向である。）に配置されており、定着ユニット６０より搬送されて
くる記録紙Ｐをガイド７２に向けて案内する。
【００６１】
ガイド７２およびガイド７３は、ガイド７１より案内されてくる記録紙Ｐを排紙ローラ
７５に向けて案内する。
【００６２】
排紙ローラ７５は一対のローラであり、ガイド７２およびガイド７３により案内されて
くる記録紙ＰをＡ方向へ向けて排出する。
【００６３】
排紙トレイ７７は、排紙ローラ７５の下方において筐体２と一体的に形成されており、
排紙ローラ７５により排出されて落下してくる記録紙Ｐが積層される。
【００６４】
＜スキャナ８の全体構成＞
スキャナ８は、フラットベッド８１と原稿自動搬送装置１００（以下「ＡＤＦ１００」
とする。）とを備えている。
【００６５】
フラットベッド８１は、原稿載置台８２と、読取手段としてのイメージセンサ８３と、
読取制御基板８７と、原稿カバー８４と、パネル９０とを備えている。
【００６６】
原稿載置台８２は、原稿Ｇが載置される透明な原稿ガラス８５を上方において有してい
る。
【００６７】
イメージセンサ８３は、原稿載置台８２の内部において原稿ガラス８５の下面に対向配
置されて、ＡＤＦ１００により搬送されている原稿Ｇの表面における画像、あるいは原稿
ガラス８５の上面に載置された原稿Ｇの表面における画像を読み取る。
【００６８】
イメージセンサ８３は、ＡＤＦ１００により搬送されている原稿Ｇの表面における画像
を読み取るときは原稿ガラス８５におけるＢ方向側のＡＤＦ読取領域に対向配置され、原
稿ガラス８５の上面に載置された原稿Ｇの表面における画像を読み取るときは原稿ガラス
８５におけるＡ方向側のＦＢ読取領域に対向配置される。
【００６９】
原稿カバー８４は、原稿載置台８２の上方に配され、Ｂ方向側の端部において回動軸８
８を有しており、それが原稿載置台８２に回動可能に支持されている。このような構成に
より、原稿カバー８４は、回動軸８８を支点にして原稿ガラス８５に載置された原稿Ｇを
覆う位置と、原稿ガラス８５の上面を開放する位置との間を回動可能となる。
【００７０】
パネル９０は、断面視が略楔形形状であり、原稿カバー８４におけるＡ方向側の端部（
ＡＤＦによる原稿排出方向側の端部）に配されている。
【００７１】
パネル９０の上方を向く設置面９０ａには、図２に示すように、スキャナ８およびプリ
ンタ１のエラーメッセージなどを表示する表示部としての液晶表示板９１と操作部として
の操作キー９２とが設けられている。操作キー９２では、ユーザが複写モードおよびスキ
ャナモードの選択指令や、スキャナ８の原稿読取指令などを入力することが可能である。
【００７２】
読取制御基板８７は図２に示すように原稿載置台８２の内部に配され、スキャナ８の制
御などを行う。読取制御基板８７は、操作キー９２と接続線９６によって接続され、メイ
ン制御基板８９と接続線９７によって接続されている。また、読取制御基板８７は、図３
に示すように、ＡＤＦ１００を駆動するＡＤＦ駆動ユニット１０４と接続線９９により接
続され、イメージセンサ８３を駆動する図示しないモータと図示しない接続線により接続
されている。
【００７３】
読取制御基板８７は、操作キー９２から原稿読取指令に基づく信号などを受けてＡＤＦ
１００やイメージセンサ８３などを駆動したり、その信号をメイン制御基板８９に送信し
たりする。また、読取制御基板８７は、イメージセンサ８３により読み取られた画像デー
タに補正処理などを施してそれをメイン制御基板８９に送信する。
【００７４】
また、読取制御基板８７は、ＡＤＦ１００の原稿トレイ１０１に図示しないセンサによ
り原稿Ｇが載っていると判断したときにはＡＤＦ１００を駆動して原稿Ｇを搬送し、イメ
ージセンサ８３によりその原稿Ｇの画像を読み取らせる。そして、原稿トレイ１０１に原
稿Ｇが載っていないと判断したときには原稿ガラス８５に載置された原稿Ｇの画像をイメ
ージセンサ８５により読み取らせる。
【００７５】
ＡＤＦ１００は、原稿カバー８４に一体的に固定され、原稿トレイ１０１と、ピックア
ップローラ１０３と、分離ローラ１０５と、搬送ローラ１０７と、従動ローラ１０９と、
従動ローラ１１１と、排紙ローラ１１３と、上板１１５と、ＡＤＦ駆動ユニット１０４と
を備えている。
【００７６】
原稿トレイ１０１は、原稿カバー８４の鉛直上方への投影内においてＡ方向に伸びるよ
うに配され、複数枚の原稿Ｇを積層できるように設けられている。また、原稿トレイ１０
１のＢ方向側端部には、分離ローラ１０５に接触する分離板１０１ａが一体的に設けられ
ている。
【００７７】
ピックアップローラ１０３は、原稿トレイのＢ方向側端部の上方に配置され、原稿トレ
イ１０１に積層された原稿Ｇを分離ローラ１０５に向けて送り出す。
【００７８】
分離ローラ１０５は、分離板１０１ａに上側から対向するように配置され、ピックアッ
プローラ１０３により送り出された原稿Ｇを分離板１０１ａとの間で狭持することで一枚
ずつ分離しながら搬送ローラ１０７へ向けて送る。
【００７９】
搬送ローラ１０７は、分離ローラ１０５よりもＢ方向側に配置され、分離ローラ１０５
により送られた原稿Ｇを従動ローラ１０９、１１１との間で狭持するとともに略Ｕ字に湾
曲させながら上板１１５に向けて送る。
【００８０】
上板１１５は、搬送ローラ１０７よりもＡ方向側に配置され、搬送ローラ１０７により
送られてきた原稿Ｇを、その原稿Ｇの表面が原稿ガラス８５のＡＤＦ読取領域を介してイ
メージセンサ８３と対向するように案内する。
【００８１】
排紙ローラ１１３は、上板１１５よりもＡ方向側に配置され、上板１１５を通過した原
稿Ｇを原稿カバー８４の上面８４aに（Ａ方向に向けて）排出する。
【００８２】
ＡＤＦ駆動ユニット１０４は、プリンタ１の駆動ユニット６の鉛直上方への投影内に配
置され、図示しないモータやギヤを備えている。また、ＡＤＦ駆動ユニット１０４は、読
取制御基板８７により制御されて、ピックアップローラ１０３と、分離ローラ１０５と、
搬送ローラ１０７と、排紙ローラ１１３とを駆動する。
【００８３】
＜パネル９０＞
次に、本発明としての特徴をなすパネル９０について詳しく説明する。
【００８４】
パネル９０は、図１および図３に示すように、原稿カバー８４のＡ方向側端部の全幅に
わたって設けられている。
【００８５】
パネル９０は、前述の設置面９０ａに加え、規制面９０ｂを有している。
【００８６】
設置面９０ａは、図１および図２に示すように、原稿カバー８４の上面８４ａから突出
するとともに、Ａ方向を向き、下方に向かうに従ってＡ方向側へ傾斜している。
【００８７】
規制面９０ｂは、原稿カバー８４の上面８４ａから突出するとともに、ＡＤＦ１００に
より排出されてくる原稿Ｇの先端に対向して、その位置を規制する。また、規制面９０ｂ
は、図２に示すように上方に向かうに従ってＡ方向側へ傾斜している。
＜パネル９０の構成による効果＞
次に、パネル９０の構成による効果について説明する。
【００８８】
パネル９０はＡＤＦ１００により排出される原稿Ｇの先端を規制する規制面９０ｂを有
しているので、排出された原稿Ｇが操作キー９１あるいは液晶表示板９２に被さることを
防止できる。このようにして、パネル９０の操作性あるいは視認性が低下する可能性を抑
制することができる。
【００８９】
複合機１０００は、ＡＤＦ１００による原稿Ｇの排出方向と排出ユニット７０による記
録紙Ｐの排出方向を共にＡ方向としたので、ギヤなどの配列方向を略同一方向にすること
が可能となり、この結果図３に示すようにＡＤＦ駆動ユニット１０４を駆動ユニット６の
鉛直上方の投影内に配置することができる。このようにして、複合機１０００の水平方向
のサイズをコンパクト化することが可能となる。
【００９０】
また、給紙カセット１１のプリンタ１からの引き出し方向とプロセスカートリッジ３０
のプリンタ１からの引き出し方向とが共にＡ方向であり、パネル９０の設置面９０ａがＡ
方向を向いている。この結果、ユーザはパネル９０の設置面９０ａに対向した状態でプロ
セスカートリッジ３０および給紙カセット１１のプリンタ１からの引き出しが容易に行う
ことができるので、利便性が向上する。さらに、複合機１０００はＡ方向側だけが開放さ
れていればよい構成でもあるので、水平方向において省スペース化となる。
【００９１】
また、原稿トレイ１０１は、原稿カバー８４の鉛直上方への投影内配置されているので
、複合機１０００の水平方向へのサイズをコンパクト化できる。
【００９２】
[実施例２]
次に、実施例２について説明する。実施例２においては、パネル１７０が原稿カバー１
８２に対して揺動可能に設けられた点が実施例１と異なり、それ以外の部分は実施例１と
同様である。よって、同様の部分の説明については省略する。
【００９３】
図４は、実施例２における複合機１０００の斜視図である。
【００９４】
図５は、図４におけるＡ−Ａ線断面図である。
【００９５】
パネル１７０は、図４および図５に示すように、設置面１７０ａと、規制面１７０ｂと
、底面１７０ｃと、回動軸１７４と、係合孔１２１と、取手１５０とを有している。
【００９６】
設置面１７０ａは、Ａ方向を向くように配置され、操作キー１７２と、液晶表示板１７
１とを備えている。
【００９７】
規制面１７０ｂは、Ｂ方向を向くように配置されている。
【００９８】
底面１７０ｃは、下方を向くように配置されている。
【００９９】
係合孔１２１は、底面１７０ｃにおいて形成され、原稿カバー１８２に設けられた係合
突起１２０と係合して、パネル１７０の揺動を規制する。
【０１００】
回動軸１７４は、パネル１７０のＡ方向側端部において、その長手方向（図中Ｃ方向）
に伸びるように設けられている。また、回動軸１７４は、原稿カバー１８２のＡ方向側端
部に設けられた軸受け１７３に回動可能に支持されている。
【０１０１】
取手１５０は、パネル１７０の規制面１７０ｂのＣ方向における中央に凹状に形成され
ている。取手１５０は、ユーザが指を掛けることができる程度の大きさの凹部である。
【０１０２】
原稿カバー１８２は、パネル収容部１５６と、軸受け１７４と、係合突起１２０と、バ
ネ部材１２４とを有している。
【０１０３】
パネル収容部１５６は、パネル１７０を収容するための凹部であり、底面１５９と、立
設面１５７と、切欠部１５１とを有している。
【０１０４】
底面１５９は、パネル１７０の底面１７０ｃに対向している。
【０１０５】
立設面１５７は、底板１５９のＢ方向側端部から上方に向かって立設されている。また
、立設面１５７は、規制面１７０ｂの下端が回動軸１７４の周りに回動したときに描く円
弧に沿った形状に形成されている。
【０１０６】
切欠部１５１は、立設面１５７のＣ方向における中央つまり取手１５０に対向する位置
にＢ方向側にくぼむように形成されている。
【０１０７】
軸受け１７３は、パネル収容部１５６のＡ方向側端部において形成されており、パネル
１７０の回動軸１７４を回動可能に支持する。
【０１０８】
係合突起１２０は、底面１５９の係合孔１２１に対応する位置において上方へ突出して
形成されている。
【０１０９】
バネ部材１２４は、原稿カバー１８２の内部においてパネル１７０の下方に配置され、
軸心１２６と、それに巻きついた捻りコイルバネ１２５とを有している。
【０１１０】
捻りコイルバネ１２５の下端１２５ｂは原稿カバー１８２の底板１８２ｂに固定されて
いる。また、捻りコイルバネ１２５の上端１２５ａは底板１５９の図示しない孔を貫通す
るとともに、パネル１７０の底面１７０ｃのＢ方向側端に当接している。このような構成
により、底板１７０ｃのＢ方向側端部は上方へ付勢されている。
【０１１１】
パネル１７０は、図５のように規制面１７０ｂが原稿カバー１８２の上面１８２ａより
も上方に位置しているときは、バネ部材１２４によってその位置に位置決めされている。
このようにパネル１７０が位置決めされる位置を規制位置とする。
【０１１２】
図６は、パネル１７０が収容位置に位置決めされているときの、複合機１０００の斜視
図である。図７は、図６におけるＡ−Ａ線断面図である。
【０１１３】
パネル１７０のＢ方向側端部は、上述の構成により、図５に示す規制位置から、図６お
よび図７に示すように原稿カバー１８２の上面１８２ａの下方に揺動できる。図６に示す
ようにパネル１７０が配置される位置を収容位置とする。
【０１１４】
パネル１７０は、収容位置において、係合孔１２１が係合突起１２０に係合することに
より位置決めされる。
【０１１５】
また、ユーザは、原稿カバー１８２の立設面１５７における切欠部１５１からパネル１
７０の取手１５０に指を引っ掛けるとともにパネル１７０のＢ方向側端部を持上げること
により、係合孔１２１と係合突起１２０との係合を解除して、パネル１７０を規制位置に
戻すことができる。
【０１１６】
次に、実施例２における構成による効果について説明する。
【０１１７】
パネル１７０が規制位置に位置決めされているときは、ＡＤＦ１００から排出されてく
る原稿Ｇの先端のＡ方向への移動を規制できる。また、パネル１７０を収容位置に揺動さ
せて位置決めすることで、原稿Ｇの先端が露出されるので、ユーザは原稿Ｇを容易に回収
することができる。
【０１１８】
また、立設面１５７は、規制面１７０ｂの下端が回動したときに描く円弧に沿った形状
に形成されているので、規制面１７０ｂの回動が滑らかとなる。さらに、規制位置におい
て、立設面１５７と規制面１７０ｂの下端との間に隙間が生じないので、原稿Ｇがその間
に挟まって傷つく可能性を抑制できる。
【０１１９】
[実施例３]
次に、実施例３について説明する。実施例３においては、パネル１４０に原稿Ｇの先端
を露出するための切欠が形成された点が実施例１と異なり、それ以外の部分は実施例１と
同様である。よって、同様の部分の説明については省略する。
【０１２０】
図８は、実施例４における複合機１０００の斜視図である。
【０１２１】
パネル１４０には、図８に示すように、パネル１４０に対向した右側において、切欠部
１４５が設けられている。このようにして、ＡＤＦ１００により排出された原稿Ｇの先端
が露出されるので、ユーザは原稿カバー２８４から原稿Ｇを回収することが容易となる。
【０１２２】
[その他の実施例]
なお、上記の記述は本発明のいくつかの例を示したにすぎず、本発明の特許請求範囲を
限定するものではない。
【０１２３】
例えば、実施例１では、規制面９０ｂはＡＤＦ１００から排出される原稿Ｇの先端位置
を規制するように設けられたが、その原稿Ｇの側端位置を規制するように設けてもよい。
【図面の簡単な説明】
【０１２４】
【図１】実施例１における複合機１０００の斜視図である。
【図２】実施例１における複合機１０００の中央断面図である。
【図３】複合機１０００を上方から見た平面図である。
【図４】実施例２における複合機１０００の斜視図である。
【図５】図４におけるＡ−Ａ線断面図である。
【図６】パネル１７０が収容位置に位置決めされているときの、複合機１０００の斜視図である。
【図７】図６におけるＡ−Ａ線断面図である。
【図８】実施例４における複合機１０００の斜視図である。
【符号の説明】
【０１２５】
１      プリンタ
８      スキャナ
８１    フラットベッド
９０    パネル
９０ａ  設置面
９０ｂ  規制面
９１    液晶表示板
９２    操作キー
【図１】
0004626486.tif 000002
【図２】
0004626486.tif 000003
【図３】
0004626486.tif 000004
【図４】
0004626486.tif 000005
【図５】
0004626486.tif 000006
【図６】
0004626486.tif 000007
【図７】
0004626486.tif 000008
【図８】
0004626486.tif 000009